(57)【要約】枠構造体を備える、空気圧式廃棄物搬送システムの装置コンポーネント。枠構造体では、分離装置、物質コンテナー、プレス装置、又はポンプ装置ユニット等の装置コンポーネント１０、２０、３０が、少なくとも部分的に支持体骨組１１、３１内部に支持されるように配置され、支持体骨組１１、３１は、貨物輸送コンテナーとして機能するように構成されており、支持体骨組は、設置現場において装置コンポーネント用の支持体として機能するように構成されている。【選択図】図１
2016518296.tif 000002
【特許請求の範囲】
【請求項１】
空気圧式廃棄物搬送システムの装置コンポーネントであって、該装置コンポーネントは枠構造体を備え、該枠構造体では、分離装置、物質コンテナー、プレス装置、又はポンプ装置ユニット等の装置コンポーネント（１０、２０、３０）が、少なくとも部分的に支持体骨組（１１、３１）内部に支持されるように配置され、該支持体骨組（１１、３１）は、貨物輸送コンテナーとして機能するように構成されていることと、前記支持体骨組は、設置現場において該装置コンポーネント用の支持体として機能するように構成されていることとを特徴とする、装置コンポーネント。
【請求項２】
前記装置コンポーネント（１０、３０）は、振止部品（１２２、１２３；３２１、３２２、３２３、３２４、３２５）を用いて前記支持体骨組（１１、３１）内部に支持されるように構成されていることを特徴とする、請求項１に記載の装置コンポーネント。
【請求項３】
前記支持体骨組（１１）と、該支持体骨組（１１）内部に配置された前記装置コンポーネント（１０）とは、輸送形態では、前記設置現場に設置される場合とは異なる形態にあることを特徴とする、請求項１又は２に記載の装置コンポーネント。
【請求項４】
前記支持体骨組（１１、３１）は、少なくとも輸送形態におけるその長さ及び幅に関して、規格化された貨物コンテナーの寸法に対応するように構成されていることを特徴とする、請求項１乃至３のいずれか１項に記載の装置コンポーネント。
【請求項５】
前記支持体骨組（１１、３１）には、例えばフォークリフトトラックのフォーク用の昇降点（１１９、１２０、３１９、３２０）が配置されることを特徴とする、請求項１乃至４のいずれか１項に記載の装置コンポーネント。
【請求項６】
様々な装置コンポーネント用の前記支持体骨組（１１、３１）が、前記設置現場において、例えば接合手段を用いてともに接合されるように構成されていることを特徴とする、請求項１乃至５のいずれか１項に記載の装置コンポーネント。
【請求項７】
前記支持体骨組（１１、３１）の隅部には隅金具（１１５、１１６、１１７、１１８、１１５’、１１６’、１１７’、１１８’；３１５、３１６、３１７、３１８、３１５’、３１６’、３１７’、３１８’）が配置され、該隅金具は、前記支持体骨組を輸送手段又は第２の支持体骨組又は貨物コンテナーに固定する固定点を有することを特徴とする、請求項１乃至６のいずれか１項に記載の装置コンポーネント。
【請求項８】
前記装置コンポーネントは、前記空気圧式廃棄物搬送システムの分離装置（１０）であり、該分離装置において、搬送される物質が搬送空気から分離されることを特徴とする、請求項１乃至７のいずれか１項に記載の装置コンポーネント。
【請求項９】
前記装置コンポーネントは、前記空気圧式廃棄物搬送システムの廃棄物コンテナー（３０）であることを特徴とする、請求項１乃至８のいずれか１項に記載の装置コンポーネント。
【請求項１０】
前記装置コンポーネントは、前記空気圧式廃棄物搬送システムの圧送ステーションであることを特徴とする、請求項１乃至９のいずれか１項に記載の装置コンポーネント。
【請求項１１】
前記装置コンポーネントは、プレス装置であることを特徴とする、請求項１乃至１０のいずれか１項に記載の装置コンポーネント。
【発明の詳細な説明】
【技術分野】
【０００１】
本発明は、請求項１に記載の空気圧式廃棄物搬送システムの装置コンポーネントであって、枠構造体を備える装置コンポーネントに関する。
【背景技術】
【０００２】
廃棄物用空気圧式搬送システム、特に高容量システムでは、例えば分離装置、プレス機、コンテナー、圧送ステーション等の、廃棄場所に設置する場合に支持体を必要とする種々の装置コンポーネントが用いられる。このシステムは、このシステムの製造場所から地理的に非常に遠くに位置する可能性がある現場に設置及び配送される。この場合、装置コンポーネントの設置性要件と、設置現場への装置コンポーネントの効率的な輸送性要件とが重要である。
【０００３】
装置コンポーネントを一般貨物として設置現場まで輸送することは、多くの場合に困難かつ費用がかかる。さらに、設置現場において設置枠を組み立てることは、かなりの仕事量を要求する。
【０００４】
その一方で、当該技術分野では、装置をいわゆる標準コンテナーに積んで設置現場まで輸送し、その設置現場で組み立てるという有効な輸送解決策が知られている。標準コンテナーには、いくつかの要件、例えばコンテナーの寸法、荷重支持能力、及び、コンテナーの隅部に配置される隅金具等の、コンテナーに配置される固定部品に関する要件が設定される。標準コンテナーは普及しており、例えば、特にそのサイズ及び用途が様々な、いわゆるＩＳＯ貨物コンテナーが知られている。これらのタイプのコンテナーは、特に海上輸送及び他の輸送に幅広く用いられている。他の規格化されたコンテナーシステムも当該技術分野において知られている。
【０００５】
本発明の目的は、設置現場への移動性に優れるとともに設置現場における設置性に優れるという特性を有する、空気圧式廃棄物搬送システムの装置コンポーネント用の枠構造体の解決策を達成することである。
【発明の概要】
【０００６】
本発明は、装置コンポーネント用の枠構造体が、いわゆる標準貨物コンテナーの寸法に合わせて構成された構造部材を備えるという構想に基づく。好ましくは、枠構造体は、標準コンテナー用の隅金具が設けられた支持体骨組を備え、枠構造体の支持体骨組の構造は、輸送、保管、及び積重に関して設定された要件に従うとともに、設置現場における支持体骨組に要求される最小限の要件に従って設計される。
【０００７】
本発明に係る空気圧式廃棄物搬送システムの装置コンポーネントは、請求項１の特徴部に述べられている事項を主に特徴とする。
【０００８】
また、本発明に係る装置コンポーネントは、請求項２乃至１１に記載の事項を特徴とする。
【０００９】
本発明に係る解決策は、複数の重要な利点を有する。空気圧式廃棄物ハンドリングシステムの装置コンポーネントの支持体を、貨物コンテナーの寸法、及び場合によっては他の本質的な要件に対応するように形成することにより、装置コンポーネントの輸送に関する効果的な解決策が達成される。さらに、支持体が設置現場において装置コンポーネント用の支持体として機能するように構成される場合、設置現場における廃棄物搬送システムの装置の設置フェーズを、大幅に、より効率的にすることができる。装置コンポーネントが、例えば振止部品を用いて支持されるように内部に配置された支持体骨組を用いることにより、支持体の効果的かつ堅牢な構造が達成される。本発明によれば、支持体枠内に配置される装置コンポーネントは、支持体枠内に配置される装置コンポーネントの輸送形態とは異なる形態で、設置現場に設置することができる。支持体骨組の寸法をいわゆる標準コンテナーの寸法に対応させて構成することにより、装置コンポーネントが一般貨物として輸送される状況と比較して輸送コストの大幅な節減を達成することができる。本発明の一実施形態に係る、分離装置とプレス装置と廃棄物コンテナーとを備える装置コンポーネントアセンブリは、設置現場まで効率的なコンパクト形態で効率的に輸送することができ、ここで、装置コンポーネントの支持体枠は装置コンポーネント用の設置枠として機能する。
【００１０】
以下、添付図面を参照しながら一実施形態によって本発明をより詳細に記載する。
【図面の簡単な説明】
【００１１】
【図１】設置現場における本発明の一実施形態を示す図である。
【図２】装置コンポーネント、図では分離装置に関する本発明の一実施形態を示す図である。
【図３】本発明の一実施形態に関して用いられる１つの装置コンポーネント、図ではプレス装置の詳細図である。
【図４】第２の装置コンポーネント、図では廃棄物コンテナーに関する本発明の一実施形態を示す図である。
【図５】図１の矢印Ｃの方向から本発明の一実施形態を示す図である。
【図６】図１の矢印Ｂの方向から本発明の一実施形態を示す図である。
【図７】第２の装置コンポーネントを点線で示す、輸送形態にある本発明の一実施形態に係る装置コンポーネントを示す図である。
【発明を実施するための形態】
【００１２】
図１は、１つの空気圧式廃棄物搬送システムの分離装置１とプレス装置２とコンテナー装置３とを示しており、いわゆる標準コンテナーの寸法及び他の要件に合わせて設計された枠構造体が、それらの装置の支持体構造骨組として適用されている。
【００１３】
図１による実施形態では、分離装置及びコンテナー等の廃棄物搬送装置の装置コンポーネントは、枠構造体の支持体骨組１１、３１内部に配置され、振止部品１２２、１２３；３２１、３２２、３２３、３２４、３２５を用いて支持体骨組１１、３１に固定されている。
【００１４】
分離装置アセンブリ１は、コンテナー部１０を有し、図ではいわゆるサイクロン式分離器であり、円筒形セクション１２６と、切頭円錐形セクション１２５と、分離装置の物質排出開口がある、より狭い円筒形セクション１２４とを有する。分離装置の上端部（動作形態時）には、搬送空気用の排出開口１２８がある円筒形セクション１２７がある。枠構造体では、分離装置は、支持体骨組１１のその構造部材によって画定される空間内に配置される。１つの実施形態によれば、支持体骨組１１は、標準コンテナーの寸法に従って、例えばＩＳＯ規格に従って、ともに取り付けられる構造部材によって形成される。
【００１５】
この場合、１つの実施形態において、輸送形態（分離装置が水平位置にある）では、骨組１１の長さＬ１は、例えば２０フィート（６０５８ｍｍ）である。１つの実施形態によれば、支持体骨組１１の幅Ｓ１は、規格どおりの８フィート（２４３８ｍｍ）である。支持体骨組１１の高さＨ１（輸送形態）は、規格に従うことができるか、又は、その寸法をより高く又はより低くすることができる。例えば、図の実施形態では、分離装置１の支持体骨組１１の高さは、或る程度比較的大きく、およそ１０フィート（２８９６ｍｍ）である。述べた寸法は例として与えたものであり、用途に応じて様々とすることができる。ＩＳＯ規格コンテナーの外寸法は、例えば公称長さに応じて変化する。例えば、１０フィート、２０フィート、４０フィート、及び４０フィートの公称長さを有し、幅が８フィートの貨物コンテナーが知られている。公称高さは様々であり、例えば８フィート、８．５フィートとすることができるが、通常のコンテナーよりも高い（ＩＳＯコンテナーではない）より大きい高さ、例えば９．５フィートの高さも知られている。
【００１６】
分離装置１０は、振止部品１２２、１２３を用いて支持体１１に固定される。振止部品１２２、１２３は、例えば、溶接によって又は機械的なジョイントを用いて支持体１１に固定される。図の実施形態の振止部品１２２、１２３はプレート部品であるが、形材部品又はパイプ部品等の何らかの他のタイプの部品とすることができる。
【００１７】
１つの実施形態によれば、例えば、フォークリフトトラックのフォーク用の昇降用支持部品形材１１９、１２０が、支持体骨組１１に配置される。この場合、フォークリフトトラックのフォークを、昇降のために支持部品形材の溝空間１１９、１２０、すなわちいわゆるフォークリフトポケットに入れる。この場合、フォークの支持面は、昇降時に溝空間の内面に当接する。支持体骨組１１の隅部には、標準コンテナーに要求される隅金具１１５、１１６、１１７、１１８、１１５’、１１６’、１１７’、１１８’がある。これらの金具には、コンテナーを昇降するか又は例えば固定手段（不図示）を用いて互いに若しくは輸送手段にコンテナーを固定するための、孔等の必要な固定点が形成されている。隅金具の性質及び構造部材と隅金具との固定状態の性質は、本明細書ではより詳細には記載しないが、その代わりに標準コンテナーに用いられる規格に適合するように設計される。
【００１８】
図１、図２、図５、及び図６の支持体骨組１１は、少なくとも以下の構造部材、すなわち縦梁１１０、縦梁１１１、横梁１１２、横梁１１３、縦梁１１０’、縦梁１１１’、横梁１１２’、横梁１１３’によって形成されている。これらの構造部材は、本質的に矩形の支持体骨組１１が形成されるように、隅金具１１５、１１６、１１７、１１８、１１５’、１１６’、１１７’、１１８’に結合される。
【００１９】
図１、図２、図４、及び図５の実施形態では、本発明の実施形態の骨組の強度を確実にするように、支持片１２１、１３０が支持体骨組１１に配置されている。図５では、斜め支持部品も存在する。支持部品の数及び配置は、特に、装置コンポーネントのタイプ及び適用現場によって決まる。例えば輸送中に、開放した支持体骨組１１の側部の開口部を覆うために、頂壁、底壁、側壁、及び／又は端壁として、いくつかの壁又はターポリンを配置することができる。支持体骨組の壁のうちの１つ又は複数を閉鎖されるように形成することができる。例えば、底壁を床に構成することができる。
【００２０】
図１、図４、図５、図６では、枠構造体の第２の装置ユニットは、コンテナー部３０を有する廃棄物コンテナーアセンブリ３であり、それ自体の支持体骨組３１内部に形成され、振止部品３２１、３２２、３２３、３２４、３２５を用いて支持体骨組３１に固定されている。図の廃棄物コンテナーの支持体骨組３１は、規格寸法の標準コンテナー、例えば、いわゆる２０フィート貨物コンテナーの寸法に合わせて構成された部品を備える。廃棄物コンテナーアセンブリ３の支持体骨組の長さＬ３（輸送形態及び設置形態の双方）は、１つの実施形態において、およそ２０フィート（６０５８ｍｍ）であり、幅Ｓ３がおよそ８フィート（２４３８ｍｍ）であり、高さＨ３がおよそ８フィート（２４３８ｍｍ）である。壁３３０、３３１は、支持体骨組３１の端部に形成され、上記壁は、接続部、バルブ、及び開閉可能なハッチ等の、廃棄物コンテナーを動作させるのに必要な構成部品を備える。１つの実施形態において、一方又は双方の端壁３３０、３３１が、開閉可能なハッチとして形成される。このハッチから、コンテナー部３０の端部からコンテナー空間内への通路が開く。コンテナー部３０は、図の実施形態では、第１の壁３３０から第２の壁３３１まで延在する。図の実施形態のコンテナー部３０は、主に円筒形であるが、振止部品を用いて支持体骨組３１に固定される何らかの他の形状のコンテナーとすることもできる。廃棄物コンテナーの支持体骨組３１の底部には、例えばフォークリフトトラックのフォークの昇降手段用の昇降点３１９、３２０が配置される。昇降点３１９、３２０は、廃棄物コンテナーの長手方向Ｌ３に対して横断する水平方向に配置され、好ましくはコンテナーアセンブリの第１の側から第２の側まで延在する。
【００２１】
図面の図に示すアセンブリにおけるプレス装置２（図３に単独で示す）は、輸送中、例えば、廃棄物コンテナー３のコンテナー部３０のコンテナー空間に配置することができる。この場合、図の空気圧式廃棄物搬送システムの分離装置とプレス機と廃棄物コンテナーとを含むこのアセンブリを、コンパクトな独立体（entity）として、すなわち規格に適合する輸送ユニットとして設置現場に輸送することができる。これは図７に示されている。
【００２２】
設置現場において、分離装置アセンブリ１の支持体骨組１１を備える分離装置アセンブリ１を鉛直形態（図１）に配置する。この場合、排出チャネル１２４は下向きになる。プレス装置の投入開口を、アダプター部２１によって分離装置１の排出チャネル１２４の排出開口と媒体接続して構成することができるように、プレス装置２を分離装置の排出チャネル１２４の下に配置する。
【００２３】
廃棄物コンテナー３は、動作形態ではプレス装置２の排出開口２３に対して取外し可能に接続することができる。廃棄物コンテナー３の支持体骨組３１は、設置時、分離装置１の直立した支持体骨組１１の底部に接して配置される。
【００２４】
分離装置１はコンテナー部１０を有し、コンテナー部１０には投入パイプ１２９が接続され、この投入パイプは、投入点（不図示）に接続することができる廃棄物用搬送配管（不図示）に接続される。家庭廃棄物等の物質が投入点において配管に供給され、上記物質がこの配管内を吸引／圧力差、及び／又は、配管内で投入パイプ１２９から分離装置のコンテナー部１０に流れ込む搬送空気の助けによって搬送される。分離装置のコンテナー部１０において、例えば、重力及び／又は遠心力の助けによって廃棄物が搬送空気から分離され、それにより比較的重い物質は分離装置の底部に落ちる。分離装置の頂部には、搬送空気用の排出パイプ１２８が配置され、この排出パイプは、エジェクターポンプ又はファン等の部分真空発生器の吸引側に接続される。搬送空気は、分離装置のコンテナー部１０を出て排出パイプに入る。
【００２５】
分離装置１の格納部１０は、図の実施形態では、底部に向かって円錐状にテーパーになっているセクション１２５を有する。図１の実施形態では、分離装置のコンテナー部１０の底部において、円錐形セクションの次に、底部に物質用の排出開口を有する円筒形セクション１２４が、配置されている。そのため、物質は、コンテナー部１０の底部に形成された排出開口を介してコンテナー部１０を出ることができる。
【００２６】
分離装置のコンテナー部１０の物質排出開口と、別個の廃棄物コンテナー３との間に、分離装置１に接続してプレス装置２が配置される。このプレス装置の投入開口は、分離装置のコンテナー部の排出開口と対面構成されている。プレス装置の排出開口２３は、別個の廃棄物コンテナー３の壁３３０に形成された廃棄物コンテナー３の投入開口と対面構成することができる。プレス装置２の投入開口は、アダプター部２１によって分離装置のコンテナー部の底部に接続する。
【００２７】
プレス装置は、少なくとも２つの位置間で可動な移送部材を備える。移送部材は、投入開口からプレス装置に導かれる廃棄物を、投入開口からその排出開口の方へ、進んで別個の廃棄物コンテナー３に、又は少なくとも投入開口の近位に移送するように構成されている。移送部材は、移送と同時に搬送される廃棄物をより高密度に圧縮、すなわち廃棄物を別個の廃棄物コンテナー３内にコンパクト化することもできる。
【００２８】
図は、プレス装置２と、廃棄物用貨物コンテナー等の別個の廃棄物コンテナー３とを示している。この貨物コンテナーは、上記プレス装置に接続するように結合することできる。図は、プレス装置２の頂部にある投入開口を囲むネックを示している。図では、プレス装置２及び廃棄物コンテナー３は床面等の設置面に配置される。プレス装置２は、通常、廃棄物用空気圧式パイプ搬送システムの分離装置１と接続して結合され、廃棄物が、分離装置１からプレス機２の投入開口を介してプレス機２に供給される。
【００２９】
プレス装置２は排出開口２３を有し、廃棄物が、排出開口２３から廃棄物コンテナーの壁３３０に形成された廃棄物コンテナーの投入開口を介して廃棄物コンテナー３に移送される。廃棄物コンテナーがプレス装置と接続するように連結される場合、廃棄物コンテナー３とプレス装置２とは、プレス装置の排出開口と廃棄物コンテナーの投入開口とが対面するように対面構成される。本発明に係る枠構造体には、取外し可能な廃棄物コンテナー３を空気圧式廃棄物搬送システムと接続して、より詳細にはそのプレス機２と接続して固定することができ、また空気圧式廃棄物搬送システムとの接続から取り外すことができる連結手段が構成される。
【００３０】
したがって、図による実施形態では、支持体構造システムは、空気圧式廃棄物搬送システムに適用可能な分離装置１とプレス装置２と廃棄物コンテナー３とに関して応用されている。
【００３１】
空気圧式廃棄物搬送システムの廃棄物搬送配管に沿って搬送空気とともに到来する廃棄物は分離装置に達し、この分離装置において、廃棄物が搬送空気から分離される。分離装置１を出る廃棄物は、プレス機２を用いて移動され、廃棄物コンテナー３のコンテナー空間内にコンパクト化される。
【００３２】
規格に関して上記ではＩＳＯ規格への言及を行っているが、本発明に係る構造システムは、貨物コンテナーに用いられる他の規格又はコンテナーに関する将来の規格に関しても適用することができる。
【００３３】
したがって、本発明は、枠構造体を備える、空気圧式廃棄物搬送システムの装置コンポーネントに関する。枠構造体では、分離装置、物質コンテナー、プレス装置、又はポンプ装置ユニット等の装置コンポーネント１０、２０、３０が、少なくとも部分的に支持体骨組１１、３１内部に支持されるように配置され、支持体骨組１１、３１は、貨物輸送コンテナーとして機能するように構成されており、支持体骨組は、設置現場において装置コンポーネント用の支持体として機能するように構成されている。
【００３４】
１つの実施形態において、装置コンポーネント１０、３０は、振止部品１２２、１２３；３２１、３２２、３２３、３２４、３２５を用いて支持体骨組１１、３１内部に支持されるように構成されている。
【００３５】
１つの実施形態において、支持体骨組１１と、支持体骨組１１内部に配置された装置コンポーネント１０とは、輸送形態では、設置現場に設置される場合とは異なる形態にある。
【００３６】
１つの実施形態において、支持体骨組１１、３１は、少なくとも輸送形態におけるその長さ及び幅に関して、規格化された貨物コンテナーの寸法に対応するように構成されている。
【００３７】
１つの実施形態において、支持体骨組１１、３１には、例えばフォークリフトトラックのフォーク用の昇降点１１９、１２０、３１９、３２０が配置される。
【００３８】
１つの実施形態において、様々な装置コンポーネント用の支持体骨組１１、３１が、設置現場において、例えば接合手段を用いてともに接合されるように構成されている。
【００３９】
１つの実施形態において、支持体骨組１１、３１の隅部には隅金具１１５、１１６、１１７、１１８、１１５’、１１６’、１１７’、１１８’；３１５、３１６、３１７、３１８、３１５’、３１６’、３１７’、３１８’が配置され、隅金具は、支持体骨組を輸送手段又は第２の支持体骨組又は貨物コンテナーに固定する固定点を有する。
【００４０】
１つの実施形態において、装置コンポーネントは、空気圧式廃棄物搬送システムの分離装置１０であり、分離装置において、搬送される物質が搬送空気から分離される。
【００４１】
１つの実施形態において、装置コンポーネントは、空気圧式廃棄物搬送システムの廃棄物コンテナー３０である。
【００４２】
１つの実施形態において、装置コンポーネントは、空気圧式廃棄物搬送システムの圧送ステーションである。
【００４３】
１つの実施形態において、装置コンポーネントは、プレス装置である。
【００４４】
本発明は上記で示した実施形態に限定されず、添付の特許請求の範囲の範囲内で変更することができることが、当業者には明らかである。本明細書において他の特徴とともに示された可能性のある特徴は、必要であれば互いと別個に用いることができる。
【図１】
2016518296.tif 000003
【図２】
2016518296.tif 000004
【図３】
2016518296.tif 000005
【図４】
2016518296.tif 000006
【図５】
2016518296.tif 000007
【図６】
2016518296.tif 000008
【図７】
2016518296.tif 000009
【国際調査報告】
2016518296.tif 000010
2016518296.tif 000011
2016518296.tif 000012